(57)【特許請求の範囲】
【請求項１】
ＩＤカード（１）に記憶されたＩＤカードの所持者の個人情報（６）をカードリーダ（２４）で読取って食品（９）を販売する複数のカード端末（１０）と、各カード端末から送信された売上データを顧客別売上ファイル（３８）に個人毎に集計するホスト装置（１７）とを備えた食堂カード販売システムにおいて、
前記ホスト装置（１７）は、
前記ＩＤカードを紛失したカード所持者に発行するための仮カード番号（２２）が記憶された複数の仮カード（１２）と、
発行済みの仮カードの仮カード番号とこの仮カードの所持者の個人情報との関係を記憶するための仮カードテーブル（３９）と、
操作入力されたＩＤカードを紛失したカード所持者の個人情報とこのカード所持者に発行された仮カードの仮カード番号との組合せを前記仮カードテーブルへ書込む仮カード情報書込手段（Ｑ１４）と、
前記各カード端末から入力されたカード情報とメニューとからなる売上データにおけるカード情報が仮カード番号を示すとき、前記仮カードテーブルに記憶されている該当仮カード番号に対応する個人情報を読出す仮カードテーブル検索手段（Ｑ１０）と、
この読出された個人情報を用いて前記入力された売上データを前記顧客別売上ファイルに集計する売上げ集計手段（Ｑ６）とを有し、
前記各カード端末（１０）は、カードリーダで読取られたＩＤカード又は仮カードのカード情報と予め定められた又は操作入力されたメニューとを売上データとして前記ホスト装置へ送信する売上処理手段（Ｓ１〜Ｓ５）を有する
ことを特徴とする食堂カード販売システム。
【請求項２】
ＩＤカード（１）に記憶されたＩＤカードの所持者の個人情報（６）をカードリーダ（２４）で読取って食品（９）を販売する複数のカード端末（１０）と、各カード端末から送信された売上データを顧客別売上ファイル（３８）に個人毎に集計するホスト装置（１７）とを備えた食堂カード販売システムにおいて、
前記ホスト装置（１７）は、
前記ＩＤカードを紛失したカード所持者に発行するための仮カード番号（２２）が記憶された複数の仮カード（１２）と、
発行済みの仮カードの仮カード番号とこの仮カードの所持者の個人情報との関係を記憶するための仮カードテーブル（３９）と、
操作入力されたＩＤカードを紛失したカード所持者の個人情報とこのカード所持者に発行された仮カードの仮カード番号との組合せを前記仮カードテーブルへ書込む仮カード情報書込手段（Ｑ１４）と、
この仮カード情報書込手段で個人情報と仮カード番号との組合せが書込まれた仮カードテーブルの記憶内容を前記各カード端末へダウンロードする仮カードテーブルダウンロード手段（Ｑ１５Ａ）とを有し、
前記各カード端末（１０）は、
前記カードリーダで読取られたカードのカード情報が仮カード番号を示すとき、前記ダウンロードされた仮カードテーブルに記憶されている該当仮カード番号に対応する個人情報を読出す仮カードテーブル検索手段（Ｒ１０）と、
この読出された個人情報と予め定められた又は操作入力されたメニューとを売上データとして前記ホスト装置へ送信する売上処理手段（Ｒ７）とを有する
ことを特徴とする食堂カード販売システム。
【発明の詳細な説明】
【０００１】
【発明の属する技術分野】
本発明は、ＩＤカードを用いて各食品を販売する食堂に適用される食堂カード販売システムに関する。
【０００２】
【従来の技術】
一般に、食堂においては昼休み時間等のように短時間で大量の料理を販売する必要があるので、利用者がある程度限定される例えば企業の社員食堂等の場合においては、代金の支払いを現金ではなくて、社員証等のＩＤカードの社員番号を読取って、代金をこの読取った社員番号と共に記憶保持して、後から例えば１ヶ月分まとめて請求したり、１ヶ月分まとめて給料天引きにすることが実用化されている。
【０００３】
図１４に企業で使用される社員証等のＩＤカードを示す。図１４（ａ）に示すように、ＩＤカード１の表面には、所有者の顔写真２、会社名３、氏名４が表記されており、内部に磁気ストライプ５が形成されている。この磁気ストライプ５内には、例えば図１４（ｂ）に示すように、会社コード６ａ、氏名６ｂ、社員番号６ｃ等の所有者を特定する個人情報６が記憶されている。
【０００４】
なお、図１４（ａ）はＩＤカード１が磁気カードである場合を示したが、図１４（ｃ）に示すように、このＩＤカード１をＩＣカードで構成することもできる。この場合、カード表面には電極７が露出している。なお、非接触のＩＣカードにおいては、電極７は露出していない。ＩＣカードで構成されたＩＤカード１においても、内部の記憶部に図１４（ｂ）に示す個人情報６が記憶されている。
【０００５】
このようなＩＤカード１を作成するには、プラスチックカードに顔写真２、会社名３、氏名４を印刷する工程や、磁気ストライプ５やＩＣチップに個人情報６を書込むと工程等の複雑な多数の作業工程を必要としているので、一般の企業においては、このＩＤカード１の製作を外部のカード作成専門会社に委託するようにしている。
【０００６】
【発明が解決しようとする課題】
しかしながら、上述したようなＩＤカード１を用いて食品を販売する食堂カード販売システムにおいてもまだ解消すべき次のような課題があった。
【０００７】
すなわち、カード所持者である社員がこのＩＤカード１を紛失すると、紛失届けを企業の総務部や福利厚生部に提出して、新規ＩＤカード１の再発行を願い出る。総務部や福利厚生部の担当者は、外部のカード作成専門会社にＩＤカード１の作成を発注する。しかし、前述したように、新規ＩＤカード１の作成には多大の手間と時間とが必要であるので、少なくとも１〜２週間必要である。
【０００８】
したがって、この期間においては、ＩＤカード１を紛失した社員は食堂を利用できない。しかし、社員にとって、食堂は毎日使用するものであるので、例えば、イレギュラーの煩雑な現金支払を行なう必要があった。
【０００９】
このような不都合を解消するためには企業内にＩＤカード１の作成設備を設ければよいが、莫大な設備費と維持管理費とが必要であった。
【００１０】
本発明はこのような事情に鑑みてなされたものであり、ＩＤカードの紛失者に対して予め準備された仮カードを手渡すのみで、この仮カードの所持者は、この仮カードを正規のＩＤカードと同様にカード端末で使用でき、ＩＤカードの作成設備を設けることなく、たとえＩＤカードを紛失してもその影響を最小限に抑制できる食堂カード販売システムを提供することを目的とする。
【００１１】
【課題を解決するための手段】
本発明は、ＩＤカードに記憶されたＩＤカードの所持者の個人情報をカードリーダで読取って食品を販売する複数のカード端末と、各カード端末から送信された売上データを顧客別売上ファイルに個人毎に集計するホスト装置とを備えた食堂カード販売システムに適用される。
【００１２】
そして、上記課題を解消するために、本発明の食堂カード販売システムにおいては、ホスト装置に対して、ＩＤカードを紛失したカード所持者に発行するための仮カード番号が記憶された複数の仮カードと、発行済みの仮カードの仮カード番号とこの仮カードの所持者の個人情報との関係を記憶するための仮カードテーブルと、操作入力されたＩＤカードを紛失したカード所持者の個人情報とこのカード所持者に発行された仮カードの仮カード番号との組合せを仮カードテーブルへ書込む仮カード情報書込手段と、各カード端末から入力されたカード情報とメニューとからなる売上データにおけるカード情報が仮カード番号を示すとき、仮カードテーブルに記憶されている該当仮カード番号に対応する個人情報を読出す仮カードテーブル検索手段と、この読出された個人情報を用いて入力された売上データを顧客別売上ファイルに集計する売上げ集計手段とを付加している。
【００１３】
さらに、各カード端末に対して、カードリーダで読取られたＩＤカード又は仮カードのカード情報と予め定められた又は操作入力されたメニューとを売上データとしてホスト装置へ送信する売上処理手段を付加している。
【００１４】
このように構成された食堂カード販売システムにおいては、ホスト装置の近傍には、ＩＤカードを紛失したカード所持者に発行するための仮カード番号のみが記憶された複数の仮カードが配設されている。そして、この食堂カード販売システムの管理者は、ＩＤカードを紛失したカード所持者に対して仮カード番号のみが記憶された１枚の仮カードを手渡すと共に、ホスト装置に対して、手渡した仮カードの仮かード番号とＩＤカードを紛失したカード所持者の個人情報との組合せを操作入力する。この操作入力された組合せは仮カードテーブルに書込まれる。
【００１５】
仮カードのカード所持者は、正規のＩＤカードと同じ操作で、カード端末にお食品の購入を行う。カード端末は、正規のＩＤカードと同様に仮カードから読取った仮カード番号からなるカード情報と注文したメニューとを売上データとしてホスト装置へ送出する。
【００１６】
ホスト装置においては、仮カードテーブルを用いて、売上データの仮カード番号をこの仮カードの所持者の個人情報に変換可能であるので、この売上データが正規のＩＤカードの場合と同様に顧客別売上ファイルに個人毎に集計される。
【００１７】
また、別の発明の食堂カード販売システムにおいては、ホスト装置に対して、ＩＤカードを紛失したカード所持者に発行するための仮カード番号が記憶された複数の仮カードと、発行済みの仮カードの仮カード番号とこの仮カードの所持者の個人情報との関係を記憶するための仮カードテーブルと、操作入力されたＩＤカードを紛失したカード所持者の個人情報とこのカード所持者に発行された仮カードの仮カード番号との組合せを仮カードテーブルへ書込む仮カード情報書込手段と、この仮カード情報書込手段で個人情報と仮カード番号との組合せが書込まれた仮カードテーブルの内容を各カード端末へダウンロードする仮カードテーブルダウンロード手段とを付加している。
【００１８】
さらに、各カード端末に対して、カードリーダで読取られたカードのカード情報が仮カード番号を示すとき、ダウンロードされた仮カードテーブルに記憶されている該当仮カード番号に対応する個人情報を読出す仮カードテーブル検索手段と、読出された個人情報と予め定められた又は操作入力されたメニューとを売上データとしてホスト装置へ送信する売上処理手段とを付加している。
【００１９】
このように構成された食堂カード販売シシテムにおいては、ホスト装置は、個人情報と仮カード番号との組合せが書込まれた仮カードテーブルの内容を各カード端末へダウンロードしている。したがって、各カード端末に仮カードテーブルが存在することになる。
【００２０】
各カード端末に入力された仮カードの仮カード番号は、このカード端末において、正規の個人情報に変換されて、メニューと共に売上データとしてホスト装置へ送出される。ホスト装置は、正規の売上データと同じ扱いで、この売上データを顧客別売上ファイルに個人毎に集計可能である。
【００２１】
【発明の実施の形態】
以下、本発明の各実施形態を図面を用いて説明する。
（第１実施形態）
図１は本発明の第１実施形態に係る食堂カード販売システムの模式図である。この第１実施形態の食堂カード販売システムは、社員食堂等の利用者がある程度特定されるカフェテリア方式の食堂に適用される。
【００２２】
なお、一般に、カフェテリア方式の食堂においては、カウンターの最後の会計処理で多大の時間が必要であるので、この会計処理を省略するために、実施形態の食堂カード販売システムにおいては、各食品の代金を図１４で示したＩＤカード１を用いて決済できると共に、各食品を自己のトレイに取込む毎に、該当食品に対する代金をカード決済する。
【００２３】
カウンター８は、複数の食品台８ａに分割され、各食品台８ａには、それぞれ１種類又は複数種類の食品９が載置されている。なお、食品９の種別によっては、予め食品台８ａに載置されていなくて、客がカウンター８の食品台８ａの前で係員に注文する場合もある。
【００２４】
カウンター８の各食品台８ａの手前にはカード端末１０が取付けられている。各カード端末１０の上面には客が自己のＩＤカード１又は図３に示す仮カード１２を挿入するためのカード挿入口１３が設けれれている。カード端末１０の前面には、このカード端末１０で販売する各食品９（メニュー）を表示する複数のメニュー表示器１４と、客が購入食品９（メニュー）を選択する複数のメニューボタン１５が設けられている。
【００２５】
カード挿入口１３内には、カードリーダが組込まれており、客が購入食品のメニューボタン１５を押したのちに、カード挿入口１３に自己のＩＤカード１又は仮カード１２を挿入すると、カードリーダが動作して、ＩＤカード１又は仮カード１２に記憶された個人情報６や仮カード番号２２等のカード情報を用いて、このカード端末１０が取付られた食品台８ａのメニューボタン１５で指定した食品９に対する売上処理を実施する。
【００２６】
なお、メニュー表示器１４に１種類のメニューしか表示されていない場合は、購入者はメニューボタン１５を押す必要なく、カード挿入口１３に自己のＩＤカード１又は仮カード１２を挿入するのみで、該当メニューの食品９に対する売上処理が実施される。
【００２７】
図２は、上述したカード端末１０が組込まれた食堂カード販売システムを示す模式図である。複数のカード端末１０が伝送路１６を介してホスト装置１７に接続されている。そして、各カード端末機１０で売上処理された各食品９（メニュー）の売上データは伝送路１６を介してホスト装置１７へ集計される。
【００２８】
図３（ａ）は、この食堂カード販売システムで使用される仮カード１２の外観図である。この仮カード１２は、図１４に示した正規のＩＤカード１と同一形状を有しており、表面に会社名１８、仮カードのカード種別１９、仮カード番号２０が表記されており、内部の磁気ストライプ２１には、表記されている仮カード番号２０と同一の仮カード番号２２が記憶されている。なお、正規のＩＤカード１と同様に、仮カード１２をＩＣカードで製作することもできる。したがって、各仮カード１２は仮カード番号２０、２２のみが異なるのみである。
【００２９】
このような仮カード１２を例えば１０〜２０枚程度、外部のカード作成専門会社に委託して作成しておく。そして、ホスト装置１７の近傍に保管しておく。
【００３０】
図４は、各カード端末１０の概略構成を示すブロック図である。各種情報処理を実施するデータ処理部２３に対して、複数のメニュー表示器１４，複数のメニューボタン１５、カードリーダ２４、記憶部２５、ホスト装置１７との間で各種情報交換を行う通信回路２６が接続されている。
【００３１】
記憶部２５内には、各メニュー表示器１４に表示する各メニューを各メニューボタン１５に対応させて記憶するメニューメモリ２７、メニューボタン１５で指定されたメニューを一時記憶するメニューバッファ２８、カードリーダ２４で読取られた正規のＩＤカード１又は仮カード１２のカード情報を一時記憶するカード情報バッファ２９が形成されている。
【００３２】
そして、各カード端末１０は図５に示す流れ図に従って各食品９の売上げ処理及びメニュー表示処理を実施する。
客（社員）がメニューボタン１５でメニュー（購入食品９）を指定すると（Ｓ１）、この指定されたメニューを記憶部２５のメニューバッファ２８へ一旦書込む（Ｓ２）。カード挿入口１３から正規のＩＤカード１又は仮カード１２が挿入されると（Ｓ３）、カードリーダ２４がＩＤカード１又は仮カード１２のカード情報を読取り、カード情報バッファ２９へ書込む（Ｓ４）。そして、メニューバッファ２８のメニュー及びカード情報バッファ２９のカード情報とを売上データとして通信回路２５及び伝送路１６を介してホスト装置１７へ送信する（Ｓ５）。
【００３３】
また、Ｓ６にて、ホスト装置１７から伝送路１６を介してメニュー更新指令が入力すると、記憶部２５のメニューテーブル２７に設定されているメニューの設定内容を更新指令に従って更新する（Ｓ７）。さらに、更新されたメニューを各メニュー表示器１４に表示出力する（Ｓ８）。
【００３４】
図６は、コンピユータで構成されたホスト装置１７の概略構成を示すブロック図である。各種情報処理を実施するデータ処理部３０に対して、売上集計結果や各種設定情報を表示する表示部３１、キーボードやマウス等の操作部３２、仮カード１２の仮カード番号２２等のカード情報を読取るカードリーダ３３、記憶部３４、各カード端末１０との間で各種情報交換を行う通信回路３５が接続されている。
【００３５】
記憶部３４内には、この食堂で販売する全てのメニュー（食品９）を記憶するメニューデータベース（ＤＢ）３６、各メニュー毎の売上げを集計する売上集計ファイル３７、各個人（社員）毎の売上げを集計する顧客別売上ファイル３８、仮カードテーブル３９、受信バッファ４０が形成されている。
【００３６】
顧客別売上ファイル３８内には、図７（ａ）に示すように、ＩＤカード１の所持者（社員）を特定する会社コード、氏名、社員番号（ＮＯ）からなる各個人情報毎に、該当カード所持者がカードを用いて購入した各メニューの個数が記憶されている。さらに、顧客別売上ファイル３８内には、各個人毎に仮カード１２を発行中であることを示す仮カードフラグ４１が記憶されている。
【００３７】
仮カードテーブル３９内には、図７（ｂ）に示すように、複数の領域３９ａが形成されている。各領域３９ａには、正規のＩＤカード１を紛失したカード所持者に発行済みの仮カード１２の仮カード番号と、この仮カード１２の所持者の会社コードと社員番号とからなる個人情報と、使用可能期間とが書込まれる。したがって、仮カード１２を全く発行していない状態においては、この仮カードテーブル３９内の各領域３９ａには何も記憶されていない。
【００３８】
そして、このホスト装置１７は図８、図９に示す流れ図に従って各種処理を実行する。
伝送路１６を介して通信回路３５にカード端末１０からメニューとカード情報とからなる売上データが入力されると（Ｑ１）、一旦受信バッファ４０へ書込む（Ｑ２）。そして、カード端末１０で使用されたカードのカード種別を判定する。具体的には、受信バッファ４０に書込まれた売上データのカード情報が会社コードと社員番号とを含む個人情報６の場合正規のＩＤカード１であり、仮カード番号２２の場合仮カード１２である（Ｑ３）。
【００３９】
正規のＩＤカード１の場合（Ｑ４）、顧客別売上ファイル３８内のこの個人情報６で特定されるカード所持者の仮カードフラグ４１が０に解除されたままであることを確認する（Ｑ５）。その後、この入力された売上データを顧客別売上ファイル３８に個人毎に集計する（Ｑ６）。具体的には、売上データに含まれる会社コードや社員番号の領域における該当メニューの売上げ個数を更新する。さらに、売上げ集計ファイル３７に対して、メニュー（食品９）毎に売上げ集計を行う（Ｑ７）。
【００４０】
なお、Ｑ５において、仮カードフラグ４１が１に設定されていた場合は、該当ＩＤカード１に対して仮カード１２が既に発行されているので、紛失した正規のＩＤカード１が第３者に拾得されて不正使用されたと判断して、所定のエラー処理を実施する（Ｑ８）。
【００４１】
一方、Ｑ４において、正規のＩＤカード１でなくて、Ｑ９において仮カード１２の場合、仮カード番号２２で仮カードテーブル３９を検索して、該当仮カード１２の所持者の会社コードと社員番号とからなる個人情報６を特定する（Ｑ１０）。そして、Ｑ６へ進み、この入力された個人情報６が特定された売上データを顧客別売上ファイル３８に個人毎に集計する（Ｑ６）。なお、Ｑ９で仮カード１２でない場合は、エラー処理とする（Ｑ１１）。
【００４２】
図９のＱ１２においてカードリーダ３３に仮カード１２が挿入され、さらに続いて操作部３２のキーボードがら会社コードと社員番号との個人情報と使用可能期間とが操作入力されると（Ｑ１３）、仮カードテーブル３９の新規の領域３９ａに、仮カード番号２２と個人情報と使用可能期間との組合せを書込む（Ｑ１４）。さらに、顧客別売上ファイル３８における該当個人情報（該当顧客）の領域の仮カードフラグ４１を１に設定する（Ｑ１５）。
【００４３】
Ｑ１２においてカードリーダ３３に仮カード１２が挿入され、さらに続いて操作部３２から削除指令が入力されると（Ｑ１６）、正規のＩＤカード１が再発行されたか、又は紛失したＩＤカード１が発見されて、仮カード１２が不要になったと考える。
【００４４】
この場合、仮カードテーブル３９における該当仮カード１２の仮カード番号２２の領域３９ａにおける仮カード番号２２及び個人情報を含む全てのデータをクリアする（Ｑ１７）。さらに、顧客別売上ファイル２８における該当個人情報（該当顧客）の領域の仮カードフラグ４１を０に解除する（Ｑ１８）。
【００４５】
さらに、操作部３２から、カード端末１０を指定して販売食品９におけるメニューの更新指令が操作入力されると（Ｑ１９）、指定されたカード端末１０へメニューの更新指令を送出する（Ｑ２０）。Ｑ１９にてメニューの更新指令以外の場合は指定されたその他の処理を実行する（Ｑ２１）。
【００４６】
このように構成された第１実施形態の食堂カード販売システムにおいて、ホスト装置１７の近傍には、ＩＤカード１を紛失したカード所持者に発行するための仮カード番号２２のみが記憶された複数枚の仮カード１２が保管されている。
【００４７】
そして、食堂を利用する社員はＩＤカード１を紛失した場合、この食堂カード販売システムの管理者に仮カード１２の発行を依頼する。食堂カード販売システムの管理者は、この仮カード番号２２のみが記憶された１枚の仮カード１２を取出し、この仮カード１２の仮カード番号２２をホスト装置１７のカードリーダ３３で読取らせる。同時に、管理者は、ホスト装置１７に対して、ＩＤカード１を紛失したカード所持者の会社コードと社員番号からなる個人情報と使用可能期間とを操作入力する。
【００４８】
この仮カード番号２２と操作入力された個人情報と使用可能期間との組合せは仮カードテーブル３９における新規の領域３９ａに書込まれる。管理者は、仮カードテーブル３９に対する設定操作が終了すると、この仮カード１２をＩＤカード１の紛失者に手渡す。管理者は、正規のＩＤカード１の製作をカード作成専門会社に発注する。
【００４９】
仮カード１２のカード所持者は、正規のＩＤカード１と同じ操作で、各カード端末１０において各食品９の購入を行う。カード端末１０は、正規のＩＤカード１と同様に仮カード１２から読取った仮カード番号２２からなるカード情報と注文したメニューとを売上データとしてホスト装置１７へ送出する。ホスト装置１７においては、仮カードテーブル３９を用いて、売上データの仮カード番号２２がこの仮カード１２の所持者の個人情報６に変換されるので、この売上データが正規のＩＤカード１の場合と同様に顧客別売上ファイル３８に個人毎に集計される。
【００５０】
したがって、ＩＤカード１の紛失者に対して予め準備された仮カード１２を手渡すのみで、この仮カードの所持者は、直ちに、この仮カード１２を正規のＩＤカード１と同様に各カード端末１０で使用できる。よって、企業内に高額のＩＤカード１の作成設備を設ける必要はない。
【００５１】
そして、新規のＩＤカード１が納入されたり、紛失したＩＤカード１が発見されると、管理者は、ＩＤカード１の紛失者から仮カード１２を回収して、仮カードテーブル３９の該当仮カード１２の情報をクリアしたのち、新規のＩＤカード１又は発見されたＩＤカード１をカード紛失者に手渡す。
【００５２】
したがって、この仮カード１２をＩＤカード１の紛失者に対して繰返し使用することが可能である。
【００５３】
（第２実施形態）
図１０は本発明の第２実施形態の食堂カード販売システムに組込まれた各カード端末１０の概略構成を示すブロック図である。図４に示す第１実施形態の食堂カード販売システムのカード端末１０と同一部分部分には同一符号を付して重複する部分の詳細説明を省略する。なお、ホスト装置１７の概略構成及びシステムの全体構成は先に説明した第１実施形態の食堂カード販売システムとほぼ同じであるので説明を商略する。
【００５４】
この第２実施形態の食堂カード販売システムの各カード端末１０においては、記憶部２５ａ内に、メニューメモリ２７、メニューバッファ２８、カード情報バッファ２８の他に、ホスト装置１７からダウンロードされた仮カードテーブル４２が記憶されている。
【００５５】
そして、各カード端末１０は図１１に示す流れ図に従って各食品９の売上げ処理及びメニュー表示処理を実施する。
客がメニューボタン１５でメニュー（購入食品９）を指定すると（Ｒ１）、この指定されたメニューを記憶部２５ａのメニューバッファ２８へ一旦書込む（Ｒ２）。カード挿入口１３から正規のＩＤカード１又は仮カード１２が挿入されると（Ｒ３）、カード情報を読取り、カード情報バッファ２９へ書込む（Ｒ４）。次に、挿入されたカードのカード種別を判定する（Ｒ５）。正規のＩＤカード１の場合（Ｒ５）、ＩＤカード１から読取った会社コードと社員番号とからなる個人情報６とメニューとを売上データとしてホスト装置１７へ送信する（Ｒ７）。
【００５６】
一方、挿入されたカードが仮カード１２の場合（Ｒ８）、現在の日付が仮カードテーブル４２内の該当仮カード番号２２の領域における使用可能期間に入っていることを確認の後（Ｒ９）、仮カードテーブル４２内の該当仮カード番号の領域における会社コードと社員番号との個人情報を読出す（Ｒ１０）。そして、Ｒ７へ進み、この個人情報とメニューとを売上データとしてホスト装置１７へ送信する。
【００５７】
なお、現在の日付が仮カードテーブル４２内の該当仮カード番号の領域における使用可能期間に入っていない場合（Ｒ９）、所定のエラー処理を実施する（Ｒ１１）。
【００５８】
また、Ｒ１２にて、ホスト装置１７から伝送路１６を介してメニュー更新指令が入力すると、記憶部２５ａのメニューテーブル２７に設定されているメニューの設定内容を更新指令に従って更新する（Ｒ１３）。さらに、更新されたメニューを各メニュー表示器１４に表示出力する（Ｒ１４）。
【００５９】
さらに、Ｒ１５にて、ホスト装置１７から伝送路１６を介し仮カードテーブル３９の内容がダウンロードされると、記憶部２５ａの仮カードテーブル４２の記憶内容を更新する（Ｒ１６）。
【００６０】
さらに、この第２実施形態の食堂カード販売システムのホスト装置１７は、図１２、図１３に示す流れ図に従って各種処理を実行する。
なお、第１実施形態の食堂カード販売システムのホスト装置１７における図８、図９と同じ部分には同一符号を付して重複する部分の詳細説明を省略する。
【００６１】
伝送路１６を介してカード端末１０からメニューとカード情報とからなる売上データが入力されると（Ｑ１）、一旦受信バッファ４０へ書込む（Ｑ２）。この場合、売上データのカード情報はカード所持者の会社コードと社員番号からなる個人情報のみである。したがって、この売上データは全て正規のＩＤカード１で販売した販売データであると見なせる。
【００６２】
したがって、この入力された売上データを顧客別売上ファイル３８に個人毎に集計する（Ｑ６）。さらに、売上げ集計ファイル３７に対して、メニュー（食品９）毎に売上げ集計を行う（Ｑ７）。
【００６３】
図１３のＱ１２〜Ｑ２１までの処理は図９におけるＱ１２〜Ｑ２１までの処理と同じである。但し、Ｑ１４、Ｑ１５、Ｑ１７，Ｑ１８で仮カードテーブル３９の設定内容が更新される毎に、この仮カードテーブル３９の記憶内容を各カード端末１０へダウンロードする（Ｑ１５Ａ）。
【００６４】
このように構成された第２実施形態の食堂カード販売システムにおいては、ホスト装置１７の記憶部３４内に形成されている仮カードテーブル３９の設定内容が更新される毎に、この仮カードテーブル３９の記憶内容が各カード端末１０へダウンロードされる。したがって、各カード端末１０には、常時最新の仮カードテーブル４２が記憶保持されている。
【００６５】
よって、各カード端末１０に入力された仮カード１２の仮カード番号２２は、このカード端末１０において、会社コードと社員番号とからなる正規の個人情報に変換されて、メニューと共に売上データとしてホスト装置１７へ送出される。ホスト装置１７は、正規の売上データ１と同じ扱いで、この売上データを顧客別売上ファイル３８に個人毎に集計可能である。
【００６６】
したがって、先に説明した第１実施形態の食堂カード販売システムとほぼ同様の技術的効果を奏することができる。
【００６７】
【発明の効果】
以上説明したように、本発明の食堂カード販売シシテムにおいては、予めホスト装置の近傍に仮カード番号のみが記憶された複数の仮カードを準備しておき、ＩＤカードの紛失者に対してこの予め準備された仮カードを手渡し、仮カードテーブルに仮カード番号とカード所持者の組合せを設定するのみで、この仮カードの所持者は、この仮カードを正規のＩＤカードと同様にカード端末で使用でき、ＩＤカード１の作成設備を設けることなく、たとえＩＤカードを紛失してもその影響を最小限に抑制できる。
【図面の簡単な説明】
【図１】本発明の第１実施形態に係る食堂カード販売システムの模式図
【図２】同食堂カード販売システムの全体構成を示す模式図
【図３】同食堂カード販売システムで用いられる仮カードを示す図
【図４】同食堂カード販売システムに組込まれた各カード端末の概略構成を示すブロック図
【図５】同食堂カード販売システムに組込まれた各カード端末の概略処理動作を示す流れ図
【図６】同食堂カード販売システムに組込まれたホスト装置の概略構成を示すブロック図
【図７】同ホスト装置内に形成された顧客別売上ファイル及び仮カードテーブルの記憶内容を示す図
【図８】同食堂カード販売システムに組込まれたホスト装置の概略処理動作を示す流れ図
【図９】同じく同食堂カード販売システムに組込まれたホスト装置の概略処理動作を示す流れ図
【図１０】本発明の第２実施形態に係る食堂カード販売システムに組込まれた各カード端末の概略構成を示すブロック図
【図１１】同食堂カード販売システムに組込まれた各カード端末の概略処理動作を示す流れ図
【図１２】同食堂カード販売システムに組込まれたホスト装置の概略処理動作を示す流れ図
【図１３】同じく同食堂カード販売システムに組込まれたホスト装置の概略処理動作を示す流れ図
【図１４】一般的なＩＤカードを示す図
【符号の説明】
１…ＩＤカード
６…個人情報
８…カウンター
９…食品
１０…カード端末
１２…仮カード
１３…カード挿入口
１４…メニュー表示器
１５…メニューボタン
１６…伝送路
１７…ホスト装置
２２…仮カード番号
２３，３０…データ処理部
２４，３３…カードリーダ
２５，２５ａ，３４…記憶部
２６，３５…通信回線
２９…カード情報バッファ
３８…顧客別売上ファイル
３９，４２…仮カードテーブル
【図１】
0004031177.tif 000002
【図２】
0004031177.tif 000003
【図３】
0004031177.tif 000004
【図４】
0004031177.tif 000005
【図５】
0004031177.tif 000006
【図６】
0004031177.tif 000007
【図７】
0004031177.tif 000008
【図８】
0004031177.tif 000009
【図９】
0004031177.tif 000010
【図１０】
0004031177.tif 000011
【図１１】
0004031177.tif 000012
【図１２】
0004031177.tif 000013
【図１３】
0004031177.tif 000014
【図１４】
0004031177.tif 000015